【事件の表示】
　特願２００２−３６９７３６「洗濯機及び洗濯システム」拒絶査定不服審判事件〔平成１６年　７月１５日出願公開，特開２００４−１９５０６３〕について，次のとおり審決する。
【結　論】
　本件審判の請求は，成り立たない。
【理　由】
第１．手続の経緯
　本願は，平成１４年１２月２０日の出願であって，平成２０年１月２１日付けで手続補正がなされ，平成２０年２月１３日付けで拒絶査定がなされ，これに対し，同２０年３月２１日に拒絶査定に対する審判請求がなされたものである。
　
第２．本願発明
　本願の請求項１ないし１０に係る発明は，平成２０年１月２１日付け手続補正書によって補正された特許請求の範囲の請求項１ないし１０に記載された事項により特定されるとおりのものと認めるところ，請求項１の記載は以下のとおりである。
「【請求項１】被洗浄物の種類，質量、材質、厚さ及び色柄の有無に関する情報の少なくとも何れかを含んでなる被洗浄物識別情報を取得する、被洗浄物識別情報取得手段と、
　１又は２以上の洗剤や柔軟剤などの洗濯処理剤又はその成分ユニットを識別して、洗濯処理剤識別情報を取得する、洗濯処理剤識別情報取得手段と、
　洗浄仕上がりに関する項目のうち、使用者が少なくとも２つの項目を選択しかつ順位付けてなる優先度情報を取得する、優先度情報取得手段と、
　取得した被洗浄物識別情報、洗濯処理剤識別情報及び優先度情報、並びに本洗濯機を特定する洗濯機識別情報を含み、洗浄処理手順や条件を決定する上での要件となる洗浄要件情報を外部の情報処理装置に送信する情報送信手段と、
　送信した洗浄要件情報に基づいて外部の情報処理装置から送信される、洗浄処理を行う際の手順や条件に関する情報を含んだ洗浄実行情報を受信する情報受信手段と、
　情報受信手段が受信した洗浄実行情報に従い、かつ上記項目の順位付けに応じて洗浄処理を行う洗浄実行手段を有する洗濯機。」（以下，請求項１に記載の発明を「本願発明」という。）
　
第３．引用例
○引用例１
　原査定の拒絶の理由に引用された特開平８−９８９８１号公報（以下，「引用例１」という。）には，「洗濯制御装置」に関して，図面とともに，以下のとおり記載されている。
　
ア　【特許請求の範囲】
「【請求項１】洗濯機の本体外に設けられ、洗濯行程制御手順を該洗濯機に対して送信する送信手段と、
　洗濯機本体に設けられ、送信される前記洗濯行程制御手順を受信する受信手段と、
　受信された前記洗濯行程制御手順を解釈実行する解釈実行手段と、
　解釈実行された洗濯行程制御手順に従い洗濯行程を制御する制御手段と、
　を備えたことを特徴とする洗濯制御装置。
【請求項２】前記送信手段は、更に、表示された洗濯行程制御手順コードを読み取る読取手段を備えていることを特徴とする請求項１記載の洗濯制御装置。
【請求項３】洗濯機の本体外に設けられ、洗濯処理剤識別コード及び／又は被洗濯物識別コードを該洗濯機に対して送信する送信手段と、
　洗濯機本体に設けられ、
　送信される洗濯処理剤識別コード及び／又は被洗濯物識別コードを受信する第１の受信手段と、
　洗濯処理剤識別コード及び／又は被洗濯物識別コードに対応して洗濯行程制御手順を格納する格納手段と、
　受信された洗濯処理剤識別コード及び／又は被洗濯物識別コードに従い、前記格納手段に格納された洗濯行程制御手順の中から該当する手順を検索する検索手段と、
　検索された洗濯行程制御手順を受信する第２の受信手段と、
　受信された洗濯行程制御手順を解釈実行する解釈実行手段と、
　解釈実行された洗濯行程制御手順に従い洗濯行程を制御する制御手段と、
　を備えたことを特徴とする洗濯制御装置。
【請求項４】前記送信手段は、更に、
　表示された洗濯処理剤識別コード及び／又は被洗濯物識別コードを読み取る読取手段を備えていることを特徴とする請求項３記載の洗濯制御装置。」
　
イ　段落【０００７】
「【０００７】本発明は、かかる現状に鑑みてなされたものであり、与えられた洗濯行程制御手順を解釈実行して洗濯行程を自動制御することにより、被洗濯物や使用する洗濯処理剤に応じた最適な洗濯を実現することが可能な洗濯制御装置を提供することを目的としている。」
　
ウ　段落【０００８】〜【００１０】
「【０００８】【課題を解決するための手段】
　上記目的を達成するために、本請求項１にかかる洗濯制御装置は、洗濯機の本体外に設けられ、洗濯行程制御手順を該洗濯機に対して送信する送信手段と、洗濯機本体に設けられ、送信される前記洗濯行程制御手順を受信する受信手段と、受信された前記洗濯行程制御手順を解釈実行する解釈実行手段と、解釈実行された洗濯行程制御手順に従い洗濯行程を制御する制御手段とを備えたことを特徴としている。
【０００９】また、本請求項２にかかる洗濯制御装置は、前記送信手段が、更に、表示された洗濯行程制御手順コードを読み取る読取手段を備えていることを特徴としている。
　また、本請求項３にかかる洗濯制御装置は、洗濯機の本体外に設けられ、洗濯処理剤識別コード及び／又は被洗濯物識別コードを該洗濯機に対して送信する送信手段と、洗濯機本体に設けられ、送信される洗濯処理剤識別コード及び／又は被洗濯物識別コードを受信する第１の受信手段と、洗濯処理剤識別コード及び／又は被洗濯物識別コードに対応して洗濯行程制御手順を格納する格納手段と、受信された洗濯処理剤識別コード及び／又は被洗濯物識別コードに従い、前記格納手段に格納された洗濯行程制御手順の中から該当する手順を検索する検索手段と、検索された洗濯行程制御手順を受信する第２の受信手段と、受信された洗濯行程制御手順を解釈実行する解釈実行手段と、解釈された洗濯行程制御手順に従い洗濯行程を制御する制御手段とを備えたことを特徴としている。
【００１０】また、本請求項４にかかる洗濯制御装置は、前記送信手段が、更に、表示された洗濯処理剤識別コード及び／又は被洗濯物識別コードを読み取る読取手段を備えていることを特徴としている。」
　
エ　段落【００１５】〜【００１６】
「【００１５】
【実施例】以下、本発明の一実施例を図面に従い、具体的に説明する。図１は、本発明の第１の実施例にかかる洗濯制御装置の構成を示すブロック図である。本洗濯制御装置は、後述する洗濯行程制御手順を洗濯機に対して送信する洗濯行程制御手順送信装置１０と、洗濯機に内蔵され、送信される洗濯行程制御手順を受信する洗濯行程制御手順受信装置１１と、受信した洗濯行程制御手順を解釈して実行する洗濯行程制御手順解釈実行装置１２と、その実行結果に従い洗濯行程を制御する洗濯行程制御装置１３とから構成されている。
【００１６】ここで、洗濯行程制御手順の送受信方法については、有線、無線のいずれの方法を採用してもよく、採用する送受信方法に従い、洗濯行程制御手順送信装置１０には送信機が、洗濯行程制御手順受信装置１１には受信機が夫々（いずれも図示せず）備えられている。また、洗濯行程制御手順送信装置１０には、洗濯行程制御手順を入力するための、バーコード読取機等の入力装置（図示せず）が備えられている。また、洗濯行程制御装置１３では、洗濯行程制御手順解釈実行装置１２から受け取った制御内容に従い、洗濯機の注排水バルブの開閉、水流モータの回転方向や回転速度、オンオフ、洗濯制御に必要な各種センサ結果の判断等の制御を行う。」
　
オ　段落【００２２】〜【００２７】
「【００２２】図６は、本発明の第２の実施例にかかる洗濯制御装置の構成を示すブロック図である。本洗濯制御装置は、後述する洗濯処理剤識別コードを洗濯機に対して送信する洗濯処理剤識別コード送信装置６０と、洗濯機に内蔵される洗濯行程制御手順受信装置６１と、受信した洗濯行程制御手順を解釈実行する洗濯行程制御手順解釈実行装置６２と、その実行結果に従い洗濯行程を制御する洗濯行程制御装置６３（６１〜６３は図１に示す構成と同じである）に加え、送信される洗濯処理剤識別コード並びに洗濯行程制御手順を受信する洗濯処理剤識別コード等受信装置６４と、受信した洗濯処理剤識別コードから洗濯行程制御手順格納装置６６に格納された洗濯行程制御手順を検索して、洗濯行程制御手順受信装置６１に対して送信する洗濯行程制御手順検索装置６５と、洗濯処理剤識別コードに対応して洗濯行程制御手順を格納した洗濯行程制御手順格納装置６６とから構成されている。
【００２３】なお、洗濯処理剤識別コードの送受信方法については、第１の実施例と同様に、有線、無線のいずれの方法を採用してもよく、採用する送受信方法に従い、洗濯処理剤識別コード送信装置６０には送信機が、洗濯処理剤識別コード受信装置６１には受信機が夫々（いずれも図示せず）備えられている。また、洗濯処理剤識別コード送信装置６０には、洗濯処理剤識別コードを入力するための、バーコード読取機等入力装置（図示せず）が備えられている。また、洗濯行程制御手順受信装置６１と洗濯行程制御手順検索装置６５とは有線で接続されており、６５→６１へ洗濯行程制御手順に関するデータが送信されるようになっている。
【００２４】また、洗濯行程制御手順検索装置６５は、モード切替スイッチＳＷによって、登録モードと制御モードの相互切替が行われるようになっている。そして、登録モードでは、洗濯処理剤識別コード等受信装置６４にて、洗濯処理剤識別コード並びに、洗濯行程制御手順（図２を参照のこと）を受信して、それらを洗濯行程制御手順格納装置６６に対応づけて格納するようになっている。
【００２５】また、制御モードでは、洗濯処理剤識別コード等受信装置６４から洗濯処理剤識別コードを受け取って、洗濯行程制御手順格納装置６６に格納されている洗濯行程制御手順を検索し、その検索結果を洗濯行程制御手順受信装置６１へ送信するようなっている。
　図７は、図６に示す洗濯制御装置で使用される洗濯処理剤識別コードの例を示す模式図である。７１は洗濯処理剤の名称であり、７２はその洗濯処理剤の識別コードであり、７３はその洗濯処理剤識別コード７２を簡単に洗濯処理剤識別コード等受信装置６４に送るために使用されるバーコードである。図に示すように、この例では、洗濯処理剤名称「×××洗剤」に対して、「ID00000120000023980 」が洗濯処理剤識別コードとなっている。
【００２６】図８は、図７に示す洗濯処理剤識別コードを表示した洗濯処理剤容器の外観を示す斜視図である。図で示すように、この洗濯処理剤容器８１には、その側面に洗濯処理剤識別コード８２が印刷表示されており、その中のバーコードについては読み取りができるようになっている。
　図９は、図６に示す洗濯行程制御手順格納装置６６に格納された洗濯処理剤識別コードと、それに対応した洗濯行程制御手順の例を示す表である。９１は洗濯処理剤識別コードであり、９２は洗濯行程制御手順である。即ち、洗濯処理剤識別コード９１に対応して洗濯行程制御手順９２が格納されている。この例では、洗濯処理剤識別コード「ID0000120000023980」の洗濯処理剤に対して、図２に示した内容と同じ洗濯行程制御手順が格納されており、同様に、洗濯処理剤識別コード「ID00000120041550980 」や、その他の洗濯処理剤識別コード９１に対応した洗濯処理剤についても、夫々に対応した洗濯行程制御手順９２が格納されている。
【００２７】図１０は、図６に示す洗濯行程制御手順検索装置６５で行われる制御動作を示すフローチャートである。先ず、モードの確認を行い（Ｓ１１）、制御モードの場合には、Ｓ１２〜Ｓ１５の処理を、そして登録モードの場合には、Ｓ２１〜Ｓ２４の処理を実行する。
　制御モードでは、洗濯処理剤識別コード等受信装置６４からの洗濯処理剤識別コードを受け取る（Ｓ１２）。続いて、それをキーとして、洗濯行程制御手順格納装置６６に格納された洗濯行程制御手順の中の該当する手順を検索する（Ｓ１３）。そして、検索が終了すると（Ｓ１４においてＹｅｓの場合）、洗濯行程制御手順受信装置６１へ、その検索結果である洗濯行程制御手順を送信して（Ｓ１５）、リターンする。」
　
カ　段落【００２９】〜【００３０】
「【００２９】図１１は、本発明の第３の実施例にかかる洗濯制御装置の構成を示すブロック図である。本洗濯制御装置は、被洗濯物に記載された被洗濯物識別コード（後述する）を洗濯機に対して送信する被洗濯物識別コード送信装置１１０と、洗濯機に内蔵される洗濯行程制御手順受信装置１１１と、受信した洗濯行程制御手順を解釈実行する洗濯行程制御手順解釈実行装置１１２と、その実行結果に従い洗濯行程を制御する洗濯行程制御装置１１３（１１１〜１１３は、図６に示す６１〜６３の構成と同じである）に加え、送信される被洗濯物識別コード、並びに洗濯行程制御手順を受信する被洗濯物識別コード等受信装置１１４と、受信した被洗濯物識別コードから洗濯行程制御手順格納装置１１６に格納された洗濯行程制御手順を検索して、洗濯行程制御手順受信装置１１１に送信する洗濯行程制御手順検索装置１１５と、被洗濯物識別コードに対応して洗濯行程制御手順を格納した洗濯行程制御手順格納装置１１６とから構成されている。
【００３０】なお、本第３の実施例は、先述した第２の実施例で使用した洗濯処理剤識別コードの替わりに、被洗濯物識別コードを使用するものであり、その点を除き、第２の実施例と同様な制御動作を行うようになっている。
　図１２は、図１１に示す洗濯制御装置で使用される被洗濯物識別コードの例を示す模式図である。１２１は被洗濯物の名称であり、１２２は被洗濯物識別コードであり、１２３は被洗濯識別コード１２１を被洗濯物識別コード等受信装置１１４に送るために使用されるバーコードである。図に示すように、この例では、被洗濯物名称「×××服」に対して「ID00000199999991122 」が被洗濯物識別コードとなっている。」
　
　以上によれば，引用例１には，
「洗濯機の本体外に設けられ，洗濯行程制御手順を該洗濯機に対して送信する送信手段と，
洗濯機の本体外に設けられ，表示された洗濯処理剤識別コード及び／又は被洗濯物識別コードを読み取る読取手段を備え，読み取った洗濯処理剤識別コード及び／又は被洗濯物識別コードを該洗濯機に対して送信する送信手段と，
　洗濯機本体に設けられ，
　送信される洗濯処理剤識別コード及び／又は被洗濯物識別コードを受信する第１の受信手段と，
　洗濯処理剤識別コード及び／又は被洗濯物識別コードに対応して洗濯行程制御手順を格納する格納手段と，
　受信された洗濯処理剤識別コード及び／又は被洗濯物識別コードに従い，前記格納手段に格納された洗濯行程制御手順の中から該当する手順を検索する検索手段と，
　検索された洗濯行程制御手順を受信する第２の受信手段と，
　受信された洗濯行程制御手順を解釈実行する解釈実行手段と，
　解釈実行された洗濯行程制御手順に従い洗濯行程を制御する制御手段と，
　を備えたことを特徴とする洗濯制御装置。」
　との発明（以下，「引用例発明１」という。）が開示されていると認められる。
　
○引用例２
　同じく，原査定の拒絶の理由に引用された特開平１０−２６３２８０号公報（以下，「引用例２」という。）には，「洗濯機」に関して，図面とともに，以下のとおり記載されている。
　
キ　【特許請求の範囲】【請求項１】〜【請求項９】
「【請求項１】洗濯すべき洗濯物の量を検知する洗濯物量検知手段と、
　洗濯助剤の量を表示することが可能な表示手段とを具えると共に、
　前記洗濯物量検知手段による検知結果に応じて洗濯助剤の必要量を決定し、その決定量を前記表示手段に表示させる制御をする制御手段を具えたことを特徴とする洗濯機。
【請求項２】洗濯の仕上り具合を設定することが可能な仕上り具合設定手段を具え、制御手段が、その仕上り具合設定手段による設定結果をも加味して洗濯助剤の必要量を決定し、その決定量を表示手段に表示させる制御をすることを特徴とする請求項１記載の洗濯機。
【請求項３】洗濯助剤が複数種類存し、制御手段が、その洗濯助剤の種類別にそれぞれ洗濯助剤の必要量を決定し、その決定量を表示手段に表示させる制御をすることを特徴とする請求項１又は２記載の洗濯機。
【請求項４】表示手段が洗濯助剤の複数存する種類について共通のもので、その洗濯助剤の種類別に表示をすることを特徴とする請求項３記載の洗濯機。
【請求項５】洗濯助剤が入った助剤容器の計量キャップの複数杯分の容積を有すると共に洗濯助剤についての計量目盛を有する注入ケースを具え、トップカバー部に、その注入ケースが装着されて該注入ケース内の洗濯助剤を注入せしめる受口を有することを特徴とする請求項１記載の洗濯機。
【請求項６】洗濯助剤が入った助剤容器の計量キャップの複数杯分の容積を有すると共に洗濯助剤についての計量目盛を有する注入ケースを具え、この注入ケースを洗濯槽に給水する給水路の途中部に設けて、該給水路を通る水により注入ケース内の洗濯助剤を流し出すようにしたことを特徴とする請求項１記載の洗濯機。
【請求項７】洗濯の仕上り具合を設定することが可能な仕上り具合設定手段を具え、制御手段が、その仕上り具合設定手段による設定結果から洗濯助剤として糊剤が必要とされる仕上り具合が設定されたと判断されたときに、運転終了後、注入ケースを通じ洗濯槽に給水して該洗濯槽の洗浄を行う槽洗浄運転を実行する制御をすることを特徴とする請求項６記載の洗濯機。
【請求項８】洗濯助剤を種類別に収容して保持する助剤保持部を具えると共に、
　洗濯の仕上り具合を設定することが可能な仕上り具合設定手段を具え、
　且つ、その仕上り具合設定手段による設定結果に応じて洗濯助剤の種類別の必要量を決定し、その各決定量を前記助剤保持部から注出させる制御をする制御手段を具えたことを特徴とする洗濯機。
【請求項９】洗濯の仕上り具合を設定することが可能な仕上り具合設定手段を具え、制御手段が、その仕上り具合設定手段による設定結果から洗濯助剤として少なくとも糊剤が必要とされる仕上り具合が設定されたと判断されたときに、最終の脱水運転を弱脱水で実行する制御をすることを特徴とする請求項１又は８記載の洗濯機。」
　
ク　段落【０００８】〜【０００９】
「【０００８】本発明の洗濯機は、第２に、洗濯助剤を種類別に収容して保持する助剤保持部を具えると共に、洗濯の仕上り具合を設定することが可能な仕上り具合設定手段を具え、その仕上り具合設定手段による設定結果に応じて洗濯助剤の種類別の必要量を決定し、その各決定量を上記助剤保持部から注出させるようにしたことを特徴とする。
【０００９】このものによれば、洗濯機が使用者による洗濯の仕上がり具合の希望を判断して、その希望に応じた洗濯助剤の必要量を助剤保持部から注出させるから、洗濯の仕上がり具合の希望に合った量の洗濯助剤の注入ができる。又、この場合、使用者は洗濯助剤の計量、注入の手間からも解放される。」
　
ケ　段落【００１２】
「【００１２】このほか、操作パネル５には、洗濯助剤として使用する糊剤が標準タイプであるか濃縮タイプであるかを設定するための「糊剤」スイッチ１４、同じく洗濯助剤として使用する柔軟仕上剤が標準タイプであるか濃縮タイプであるかを設定するための「柔軟剤」スイッチ１５、仕上り具合を設定するための仕上り具合設定手段である「仕上げ」スイッチ１６、脱水行程の時間を設定するための「脱水」スイッチ１７、すすぎ行程の回数を設定するための「すすぎ」スイッチ１８、「洗い」行程の時間を設定するための「洗い」スイッチ１９、運転の予約時間を設定するための「予約」スイッチ２０、水位の設定をするための「水位」スイッチ２１を設けている。」
　
コ　段落【００１４】
「【００１４】又、表示部３０は仕上り具合の設定が「やわらか」、「しなやかピン」、「やわらかしっかり」、「シャキッとしなやか」、「シャキッ」とある中のいずれであるかを表示するものである。」
　
サ　段落【００６６】
「【００６６】請求項８の洗濯機によれば、使用者による洗濯の仕上がり具合の希望に合った洗濯助剤の必要量を注入できて、希望どおりの洗濯物の仕上り具合を得ることができると共に、その洗濯助剤の注入について、使用者による洗濯助剤の計量、注入の手間をも省くことができる。・・・」
　
　以上によれば，引用例２には，
「『やわらか』，『しなやかピン』などの使用者が希望する洗濯物の仕上がり具合を設定可能であり，その設定内容及び洗濯物量に応じて，洗濯助剤としての柔軟仕上剤と糊剤の必要量を表示し，または，その必要量の洗濯助剤を自動的に注入することが可能な洗濯機。」
　との発明（以下，「引用例発明２」という。）が開示されていると認められる。
　
第４．対比・判断
　本願発明と引用例発明１とを比較すると，ともに洗濯機の制御に関するものである点で，両者は共通しており，さらに，後者の「洗濯機の本体外に設けられた送信手段から送信される洗濯行程制御手順」は，前者の「洗浄処理を行う際の手順や条件に関する情報を含んだ洗浄実行情報」に相当し，さらに，後者の，「受信された洗濯行程制御手順を解釈実行する解釈実行手段と，解釈実行された洗濯行程制御手順に従い洗濯行程を制御する制御手段」は，前者の「情報受信手段が受信した洗浄実行情報に従い，洗浄処理を行う洗浄実行手段」に相当することは明らかである。
　
　してみれば，両者の一致点は以下のとおりである。
＜一致点＞
「外部の情報処理装置から送信される，洗浄処理を行う際の手順や条件に関する情報を含んだ洗浄実行情報を受信する情報受信手段と，情報受信手段が受信した洗浄実行情報に従い，洗浄処理を行う洗浄実行手段を有する洗濯機。」
　
　そして，以下の各点で相違している。
　
＜相違点１＞
　本願発明の洗濯機は，「被洗浄物の種類，質量，材質，厚さ及び色柄の有無に関する情報の少なくとも何れかを含んでなる被洗浄物識別情報を取得する，被洗浄物識別情報取得手段」を洗濯機が有するのに対して，引用例発明１は，被洗浄物識別情報取得手段に相当する「被洗濯物識別コード送信装置」を備えるものの，これは洗濯機の本体外に設けられている点。
　
＜相違点２＞
　本願発明の洗濯機は，「１又は２以上の洗剤や柔軟剤などの洗濯処理剤又はその成分ユニットを識別して，洗濯処理剤識別情報を取得する，洗濯処理剤識別情報取得手段」を洗濯機が有するのに対して，引用例発明１は，洗濯処理剤識別情報取得手段に相当する「洗濯処理剤識別コード送信装置」を備えるものの，これは洗濯機の本体外に設けられている点。
　
＜相違点３＞
　本願発明の洗濯機は，「取得した被洗浄物識別情報，洗濯処理剤識別情報及び優先度情報，並びに本洗濯機を特定する洗濯機識別情報を含み，洗浄処理手順や条件を決定する上での要件となる洗浄要件情報を外部の情報処理装置に送信する情報送信手段」を有するのに対して，引用例発明１は，このような送信手段を有しない点。
　
＜相違点４＞
　本願発明の洗濯機は，「洗浄仕上がりに関する項目のうち，使用者が少なくとも２つの項目を選択しかつ順位付けてなる優先度情報を取得する，優先度情報取得手段」を有し，これにより，「上記項目の順位付けに応じて洗浄処理を行う」のに対して，引用例発明１はそうではない点。
　
＜相違点１・２＞について検討する。
　被洗浄物識別情報取得手段を洗濯機本体に備えた洗濯機は，本件出願前に周知の事項である。例えば，本件出願明細書に特許文献１として挙げられた特開平６−３０４３７９号公報には，衣類に附着される情報媒介体から洗濯情報を判読し洗濯機の全体システム動作を制御する洗濯機の制御方法が記載され，同様に特許文献２として挙げられた特開平１１−１５３７７号公報には，衣料品に縫い付けられている洗濯タグに取扱情報を記憶させた非接触式ＩＣチップを備え，洗濯機に備えた読み取り手段で読み取った取扱情報によって洗濯機を制御することが記載され，同様に特許文献３として挙げられた特開２００１−３０７０５５号公報には家庭用電気洗濯機にリーダライタを内蔵し，衣服に備えた無線ＩＣタグに記憶されている選択方法を読み出し，それに応じた洗濯コースにより洗濯することが記載されている。
　してみれば，相違点１に係る発明特定事項は，引用例発明１に周知事項を組み合わせたにすぎないものであり，当業者が容易に想到し得たものである。
　また、引用例発明１において，「被洗濯物識別コード送信装置」と「洗濯処理剤識別コード送信装置」は，等価で代替え可能な技術手段として記載されている。このことは，前記第３．記載ア，記載カから明らかである。
　してみれば，相違点２に係る発明特定事項も，相違点１に係る周知事項を単に転用したにすぎないものであり，当業者が容易に想到し得たものである。
　
＜相違点３＞について検討する。
　相違点３は，相違点１・２に伴って外部の情報処理装置に洗濯要件情報を送る必要が生じたことによる相違点であって，常套手段の適用にすぎないものである。
　
＜相違点４＞について検討する。
　本願発明の洗浄仕上がりに関する項目は、明細書の詳細な説明の段落【００２６】を参照すると、「洗浄力、被洗浄物の傷み防止、柔軟性の付与、給水性（吸水性の誤記）の付与、、色移り防止、清潔性、洗濯処理剤の残留性等」である。そして、引用例発明２において，使用者が希望する洗濯物の仕上がり具合を設定可能であり，その設定内容及び洗濯物量に応じて，洗濯助剤としての柔軟仕上剤と糊剤の必要量を表示し，または，その必要量の洗濯助剤を自動的に注入することが可能な洗濯機が開示されている。
　洗濯助剤としての柔軟仕上剤と糊剤の作用は相反するものであって，それらの洗濯助剤の使用量は洗濯物の仕上がり具合が，かたいか，やわらかいかという洗浄仕上がりに関する１つの項目に関するものとみることができ，またその他の上記洗浄仕上がりに関する項目を設定することは，洗濯機において例示するまでもなく，周知の事項である。
　更に，使用者が希望する項目情報に関して，項目に順位付けを行った優先度情報を取得する点について判断すると，一般に家電製品等において，処理について使用者が希望する条件項目に順位付けを付した優先度情報を入力し，それを反映した処理を行わせることは，以下例示するように周知の事項である。
　例えば，特開２００２−９２３０７号公報の段落【００８７】〜【００８８】優先順位設定ルーチンの説明参照，特開２００２−９５０７２号公報の段落【００４６】，【００４７】制御目的テーブルの実行有無および優先レベルについての説明参照，同公報段落【０１０８】〜【０１１０】制御対象機器の種別が洗濯機の場合についての記載参照，特開平１１−３１６０８３号公報の段落【００３２】〜【００３３】運転の優先度の設定についての説明参照。
　したがって，項目情報を取得する手段を，洗浄仕上がりに関する項目のうち，使用者が少なくとも２つの項目を選択しかつ順位付けてなる優先度情報を取得する，優先度情報取得手段とし，相違点４に係る発明特定事項のようにすることは，引用例発明２，及び上記周知事項に基づいて，当業者が容易に想到し得たことである。
　
　作用ないし効果について
　本願発明の作用ないし効果も引用例発明１，引用例発明２に記載の発明及び周知事項から当業者が予想できる範囲のものである。
　
第５．むすび
　
　以上のとおり，本願発明は，引用例発明１，引用例発明２，及び周知事項に基づいて，当業者が容易に発明をすることができたものであるから，特許
法第２９条第２項の規定により特許を受けることができず，本願は，その余の請求項に係る発明について見るまでもなく，拒絶されるべきものである。
　よって，結論のとおり決定する。